【手続補正書】
【提出日】令和2年1月30日(2020.1.30)
【手続補正１】
【補正対象書類名】特許請求の範囲
【補正対象項目名】全文
【補正方法】変更
【補正の内容】
【特許請求の範囲】
【請求項１】
内部容積（３６）を形成し、底部に吸引用の開口（２２）が形成された可撓性の吸引カップ（１２）を備え、地下のガス管における漏洩を検知するために用いられる真空ベルプローブ（１０）において、
前記底部（２０）は、前記吸引カップ（１２）の弾性より高い弾性を有する軟質の密閉リング（３２）を備え、
該密閉リング（３２）は、前記吸引用開口（２２）をとり囲み、
地下におけるガス漏洩が懸念される地点において、地面と接触した際に、前記内部容積（３６）に真空を生成しうる気密状態をもたらす接触面を形成する、
ことを特徴とする、真空プローブ（１０）。
【請求項２】
請求項１に記載の真空ベルプローブ（１０）において、前記軟質の密閉リング（３２）は独立気泡発泡ゴム製である真空ベルプローブ（１０）。
【請求項３】
請求項１または２に記載の真空ベルプローブ（１０）において、前記吸引カップ（１２）は中実ゴム製である真空ベルプローブ（１０）。
【請求項４】
請求項１から３のいずれか一項に記載の真空ベルプローブ（１０）において、前記吸引カップ（１２）は、前記内部容積（３６）内の真空圧力によって圧縮可能な蛇腹を形成している真空ベルプローブ（１０）。
【請求項５】
請求項１から４のいずれか一項に記載の真空ベルプローブ（１０）において、前記底部（２０）は、前記吸引用開口（２２）を囲む圧縮リング（３０）を備え、前記圧縮リング（３０）に前記密閉リング（３２）が取り付けられる真空ベルプローブ（１０）。
【請求項６】
請求項１から５のいずれか一項に記載の真空ベルプローブ（１０）において、前記底部（２０）とは反対側において前記吸引カップ（１２）の上部（１６）に接続された長手形状のハンドル（１４）をさらに備え、前記ハンドル（１４）は中空であり、前記内部容積（３６）に接続されるガスチューブを形成または具備している真空ベルプローブ（１０）。
【請求項７】
ガス漏洩検知システム（１００）であって、
請求項１から６のいずれか一項に記載の真空ベルプローブ（１０）と、
前記真空ベルプローブ（１０）に離間して接続された少なくとも１つのガス検知器（１０２，１０４）と、
前記真空ベルプローブ（１０）と前記ガス検知器（１０２，１０４）とを接続するガス流路内に設けられた少なくとも１つの真空ポンプ（１０６）と、
を備えるガス漏洩検知システム（１００）。
【請求項８】
請求項７に記載のガス漏洩検知システム（１００）において、前記ガス流路内において前記真空ポンプ（１０６）と前記ガス検知器（１０２，１０４）との間に、外気に開口した排気口（１０８）をさらに備えるガス漏洩検知システム（１００）。
【請求項９】
請求項７または８に記載のガス漏洩検知システム（１００）において、
基準ガス入口（１１０）と、
切換バルブ（１１２）と、
をさらに備え、
前記切換バルブ（１１２）は、その切換状態に応じて、前記真空ベルプローブ（１０）および前記排気口（１０８）を前記ガス検知器（１０２）に、または前記基準ガス入口（１１０）を前記ガス検知器（１０２）に交互に接続するように前記ガス流路において前記真空ポンプ（１０６）と前記ガス検知器（１０２，１０４）の間に配置されている、
ガス漏洩検知システム（１００）。
【請求項１０】
請求項１から６のいずれか一項に記載の真空ベルプローブまたは請求項７から９のいずれか一項に記載のガス漏洩検知システムを用いて地下のガス管における漏洩を検知するための方法であって、
前記真空ベルプローブ（１０）を、地下におけるガス漏洩が懸念される地点において地面に設置し、前記接触面（３４）を前記地面とを接触させるステップと、
前記内部容積（３６）に接続された真空ポンプ（１０６，１２６）を作動させることによって、前記内部容積（３６）内に大気圧よりも低い真空圧力を発生させ、前記地面を通して前記内部容積（３６）へと、そして前記内部容積（３６）に接続されたガス検知器（１０２，１０４）へとガスを吸引するステップと、
を含む方法。
【請求項１１】
請求項１０に記載の方法において、前記内部容積（３６）内で発生した前記真空は、大気圧よりも２００ｍｂａｒ程度またはそれよりも低い方法。
【請求項１２】
請求項１１に記載の方法において、達成可能なｐＶスループットは０．７Ｎ・リットル／分よりも高い方法。
【請求項１３】
請求項１０から１２のいずれか一項に記載の方法において、前記真空は、大気圧よりも４００ｍｂａｒ程度またはそれよりも低く、好ましくは、ｐＶスループットが０．３Ｎ・リットル／分よりも高い方法。
【手続補正２】
【補正対象書類名】明細書
【補正対象項目名】００３７
【補正方法】変更
【補正の内容】
【００３７】
図面に示されていない圧縮プラグを吸引用開口２２に押し込み、吸引用開口２２を密閉してもよい。圧縮プラグはガス導管を有していてもよく、吸引カップ１２を孔に、例えば、ねじ係合によって固定するように適合されていてもよい。
なお本発明は、実施の態様として以下の内容を含む。
〔態様１〕
内部容積（３６）を形成し、底部に吸引用の開口（２２）が形成された可撓性の吸引カップ（１２）を備え、地下のガス管における漏洩を検知するために用いられる真空ベルプローブ（１０）において、
前記底部（２０）は、前記吸引カップ（１２）の弾性より高い弾性を有する軟質の密閉リング（３２）を備え、
該密閉リング（３２）は、前記吸引用開口（２２）をとり囲み、
地下におけるガス漏洩が懸念される地点において、地面と接触した際に、前記内部容積（３６）に真空を生成しうる気密状態をもたらす接触面を形成する、
ことを特徴とする、真空プローブ（１０）。
〔態様２〕
態様１に記載の真空ベルプローブ（１０）において、前記軟質の密閉リング（３２）は独立気泡発泡ゴム製である真空ベルプローブ（１０）。
〔態様３〕
態様１または２に記載の真空ベルプローブ（１０）において、前記吸引カップ（１２）は中実ゴム製である真空ベルプローブ（１０）。
〔態様４〕
態様１から３のいずれか一態様に記載の真空ベルプローブ（１０）において、前記吸引カップ（１２）は、前記内部容積（３６）内の真空圧力によって圧縮可能な蛇腹を形成している真空ベルプローブ（１０）。
〔態様５〕
態様１から４のいずれか一態様に記載の真空ベルプローブ（１０）において、前記底部（２０）は、前記吸引用開口（２２）を囲む圧縮リング（３０）を備え、前記圧縮リング（３０）に前記密閉リング（３２）が取り付けられる真空ベルプローブ（１０）。
〔態様６〕
態様１から５のいずれか一態様に記載の真空ベルプローブ（１０）において、前記底部（２０）とは反対側において前記吸引カップ（１２）の上部（１６）に接続された長手形状のハンドル（１４）をさらに備え、前記ハンドル（１４）は中空であり、前記内部容積（３６）に接続されるガスチューブを形成または具備している真空ベルプローブ（１０）。
〔態様７〕
ガス漏洩検知システム（１００）であって、
態様１から６のいずれか一態様に記載の真空ベルプローブ（１０）と、
前記真空ベルプローブ（１０）に離間して接続された少なくとも１つのガス検知器（１０２，１０４）と、
前記真空ベルプローブ（１０）と前記ガス検知器（１０２，１０４）とを接続するガス流路内に設けられた少なくとも１つの真空ポンプ（１０６）と、
を備えるガス漏洩検知システム（１００）。
〔態様８〕
態様７に記載のガス漏洩検知システム（１００）において、前記ガス流路内において前記真空ポンプ（１０６）と前記ガス検知器（１０２，１０４）との間に、外気に開口した排気口（１０８）をさらに備えるガス漏洩検知システム（１００）。
〔態様９〕
態様７または８に記載のガス漏洩検知システム（１００）において、
基準ガス入口（１１０）と、
切換バルブ（１１２）と、をさらに備え、
前記切換バルブ（１１２）は、その切換状態に応じて、前記真空ベルプローブ（１０）および前記排気口（１０８）を前記ガス検知器（１０２）に、または前記基準ガス入口（１１０）を前記ガス検知器（１０２）に交互に接続するように前記ガス流路において前記真空ポンプ（１０６）と前記ガス検知器（１０２，１０４）の間に配置されている、
ガス漏洩検知システム（１００）。
〔態様１０〕
態様１から６のいずれか一態様に記載の真空ベルプローブまたは態様７から９のいずれか一態様に記載のガス漏洩検知システムを用いて地下のガス管における漏洩を検知するための方法であって、
前記真空ベルプローブ（１０）を、地下におけるガス漏洩が懸念される地点において地面に設置し、前記接触面（３４）を前記地面とを接触させるステップと、
前記内部容積（３６）に接続された真空ポンプ（１０６，１２６）を作動させることによって、前記内部容積（３６）内に大気圧よりも低い真空圧力を発生させ、前記地面を通して前記内部容積（３６）へと、そして前記内部容積（３６）に接続されたガス検知器（１０２，１０４）へとガスを吸引するステップと、を含む方法。
〔態様１１〕
態様１０に記載の方法において、前記内部容積（３６）内で発生した前記真空は、大気圧よりも２００ｍｂａｒ程度またはそれよりも低い方法。
〔態様１２〕
態様１１に記載の方法において、達成可能なｐＶスループットは０．７Ｎ・リットル／分よりも高い方法。
〔態様１３〕
態様１０から１２のいずれか一態様に記載の方法において、前記真空は、大気圧よりも４００ｍｂａｒ程度またはそれよりも低く、好ましくは、ｐＶスループットが０．３Ｎ・リットル／分よりも高い方法。